(57)【要約】  椅子（１）は、脚体（１０）と、該脚体（１０）に支持される背凭れ支持体（２０）と、該背凭れ支持体（２０）に支持され、着座者の背を支持する背凭れ体（５０Ａ）とを備え、該背凭れ体（５０Ａ）は、前記着座者の背を受けるとともに、該背に応じて変形可能な可撓性を有する張り材（５１）、及び該張り材（５１）が取り付けられ、前記張り材（５１）から作用する力で弾性変形が可能な幅方向に離間した一対の縦枠部（５３Ａ，５３Ｂ）を有する背凭れ（５０）と、前記縦枠部（５３Ａ，５３Ｂ）を上下方向に連結する背凭れ後部支持部材（４０）とを備える。
2014061732.tif 000002
【特許請求の範囲】
【請求項１】
脚体と、
該脚体に支持される背凭れ支持体と、
該背凭れ支持体に支持され、着座者の背を支持する背凭れ体とを備え、
該背凭れ体は、
前記着座者の背を受けるとともに、該背に応じて変形可能な可撓性を有する張り材、及び該張り材が取り付けられ、前記張り材から作用する力で弾性変形が可能な幅方向に離間した一対の縦枠部を有する背凭れと、
前記縦枠部を上下方向に連結する背凭れ後部支持部材とを備える椅子。
【請求項２】
前記背凭れは、前記背凭れ後部支持部材に支持され、前記着座者の背を支持し、
前記背凭れ後部支持部材は、前記背凭れ支持体に支持され、
前記背凭れ支持体に連結される下部連結部と、
該下部連結部から上方へ向かって延び、前記着座者の背から前記背凭れに作用する荷重にしたがって弾性変形可能な変形許容部と、
該変形許容部の上端から上方へ向かって延び、上端で前記背凭れと連結される上部連結部とを有する請求項１に記載の椅子。
【請求項３】
前記上部連結部は、上方に向かうにしたがってしだいに前方へ傾斜するように形成されている請求項２に記載の椅子。
【請求項４】
前記上部連結部は、下端で前記変形許容部に連結されるとともに、上方に向かうにしたがって互いに離間するようにＶ字状に形成され、上端が前記背凭れに連結された一対の連結片を有する請求項２または請求項３に記載の椅子。
【請求項５】
前記縦枠部は、
下端が前記下部連結部に連結されるとともに、上方に向かうにしたがってしだいに前方へ傾斜するように形成された下材と、
該下材から上方へ向かって延び、上方に向かうにしたがって前記下材よりも相対的に後方へ傾斜するように形成され、上端で前記上部連結部に連結された上材とを有する請求項２から請求項４のいずれか一項に記載の椅子。
【請求項６】
前記張り材は、下部が前記下材に連結され、上部が前記上材に連結されている請求項５に記載の椅子。
【発明の詳細な説明】
【技術分野】
【０００１】
本発明は、椅子に関するものである。
本願は、２０１２年１０月１８日に出願された特願２０１２−２３０９２９号に基づき優先権を主張し、その内容をここに援用する。
【背景技術】
【０００２】
椅子には、脚体と、該脚体の上部に設けられた座部と、該座部に着座する着座者を支持する背部とを有することを基本構成として、一般に様々な構成が知られている。【０００３】
例えば、椅子を構成する背部の支持構造として、back memberと、脚体から上方に向かって延出し、back memberの後面における幅方向に離間した部分を後方から支持するarmとを有する椅子が提案されている（下記特許文献１参照）。【０００４】
また、上枠部、下枠部、左枠部及び右枠部から構成される背フレームと、該背フレームの内部に入れた背板とを有する背もたれと、該背もたれの左枠部及び右枠部を後方から支持する背支柱とを備える椅子も提案されている（下記特許文献２参照）。
このような椅子では、背支柱に支持された背フレームを介して背板は、着座者の背を確実に支持することができる。
【先行技術文献】
【特許文献】
【０００５】
【特許文献１】米国特許第７２４９８０２号明細書
【特許文献２】特開２００９−１１２７２９号公報
【発明の概要】
【発明が解決しようとする課題】
【０００６】
しかしながら、上記の特許文献１に記載の構成においてはback memberに着座者から後向きの力が作用しても、back member はarmの軸力により確実に支持されるため、back memberの面外方向への変形が抑制される。よって、着座者が背を後方へ倒す姿勢をとっても、着座者の背を大きく後方へ倒すように変形することが困難である。【０００７】
また、上記の特許文献２に記載の構成においても、背支柱が左枠部及び右枠部を支持するため、背板に着座者から後向きの力が作用しても、左枠部及び右枠部の変形が規制されるとともに、左枠部及び右枠部に設けられた背板の変形も規制される。よって、着座者が背を後方へ倒す姿勢をとっても、着座者の背を大きく後方へ倒すように変形することが困難である。このため、特許文献１及び２に記載のような椅子では、着座者が、着座した状態で背を後方へ大きく倒す動作を自由に行うことができず、姿勢の変化に追従することができないという問題がある。【０００８】
本発明は、上記事情に鑑みてなされたものであり、着座者が背を後方へ倒す動作をとった場合に、当該姿勢に追従させることが可能な椅子を提供する。
【課題を解決するための手段】
【０００９】
（１）本発明の第一の態様によれば、椅子は、脚体と、背凭れ支持体と、背凭れ体とを備える。前記背凭れ支持体は、脚体に支持される。前記背凭れ体は、該背凭れ支持体に支持され、着座者の背を支持する。前記背凭れ体は、前記着座者の背を受けるとともに、該背に応じて変形可能な可撓性を有する張り材、及び該張り材が取り付けられ、前記張り材から作用する力で弾性変形が可能な幅方向に離間した一対の縦枠部を有する背凭れと、前記縦枠部を上下方向に連結する背凭れ後部支持部材とを備える。【００１０】
上記した構成によれば、着座者から張り材に後方へ向かって作用する荷重は、張り材に取り付けられ幅方向に離間した一対の縦枠部に伝達される。縦枠部は張り材から作用する力で弾性変形して後方へと傾斜するように変形するとともに、縦枠部間に取り付けられた張り材は幅方向全体にわたって後方へと移動する。また、背凭れ後部支持部材は縦枠部を上下方向に連結しているため、縦枠部の後方への傾斜にともない背凭れ後部支持部材もその姿勢を後方に傾斜させる。よって、着座者の荷重が背凭れを後方に倒す方向に作用すると、背凭れを倒す動作に追従するようにして背凭れ体全体を後方へ傾斜させることができる。【００１１】
（２）上記（１）の椅子において、前記背凭れは、前記背凭れ後部支持部材に支持され、前記着座者の背を支持する。前記背凭れ後部支持部材は、前記背凭れ支持体に支持される。前記背凭れ後部支持部材は、下部連結部と、変形許容部と、上部連結部とを有していてもよい。前記下部連結部は、前記背凭れ支持体に連結される。前記変形許容部は、前記下部連結部から上方へ向かって延び、前記着座者の背から前記背凭れに作用する荷重にしたがって弾性変形可能である。前記上部連結部は、前記変形許容部の上端から上方へ向かって延び、上端で前記背凭れと連結される。【００１２】
上記した構成によれば、着座者から背凭れに後方へ向かって荷重が作用すると、着座者の荷重が背凭れを支持する背凭れ後部支持部材に伝達される。この際、背凭れ後部支持部材のうち、背凭れ支持体に連結された下部連結部と背凭れに連結された上部連結部との間に設けられた変形許容部が、上方に向かうにしたがってしだいに後方に傾斜するように弾性変形する。この変形許容部の変形とともに、背凭れ後部支持部材に支持された背凭れはその姿勢を大きく後方に傾斜させることができる。
また、後方に向かって傾斜する変形許容部よりも上方に、上部連結部が設けられている。よって、変形許容部が後方に向かって傾斜するにともなって、上部連結部は上端を背凭れに連結された状態を維持しながら、後方へと移動することができる。よって、着座者の荷重が背凭れを後方に倒す方向に作用すると、背凭れを倒す動作に追従するようにして背凭れを後方へ傾斜させることができる。【００１３】
（３）上記（２）の椅子において、前記上部連結部は、上方に向かうにしたがってしだいに前方へ傾斜するように形成されていてもよい。【００１４】
上記した構成によれば、上部連結部が上方に向かうにしたがってしだいに前方へ傾斜するように形成されているため、前後方向へは上部連結部自体の変形を抑制して着座者の荷重を支持することができるとともに、上部連結部に連結された背凭れも着座者の荷重を確実に支持することができる。
一方、変形許容部が変形することで、背凭れ後部支持部材の下部連結部及び上部連結部と連結された背凭れを、着座者の荷重に応じて後方へ傾斜させることができる。【００１５】
（４）上記（２）または（３）の椅子において、前記上部連結部は、下端で前記変形許容部に連結されるとともに、上方に向かうにしたがって互いに離間するようにＶ字状に形成され、上端が前記背凭れに連結された一対の連結片を有していてもよい。【００１６】
上記した構成によれば、一対の連結片は上端が背凭れに連結されることで、着座者から背凭れに幅方向一方側又は他方側に作用する荷重を確実に支持することができる。【００１７】
（５）上記（２）から（４）のいずれか一に記載の椅子において、前記縦枠部は、下端が前記下部連結部に連結されるとともに、上方に向かうにしたがってしだいに前方へ傾斜するように形成された下材と、該下材から上方へ向かって延び、上方に向かうにしたがって前記下材よりも相対的に後方へ傾斜するように形成され、上端で前記上部連結部に連結された上材とを有していてもよい。【００１８】
上記した構成によれば、下材は上方に向かうにしたがって前方へと傾斜しているため、該下材自体の変形を抑制して着座者の荷重を確実に支持することができる。一方、上材は上方に向かうにしたがって下材よりも相対的に後方へ傾斜しているため、着座者の荷重に応じて後方へと傾斜させて追従させることができる。
ここで、上部及び下部で背凭れ後部支持部材に連結された縦枠部は、下材の変形が抑制されて、上材の上下方向の範囲内で傾斜することになる。よって、背凭れ後部支持部材が後方へと傾斜すると、上材は背凭れ後部支持部材よりも大きな傾斜角度で傾斜することとなる。
このため、背凭れ後部支持部材の変形許容部の変形量を最小限に抑えつつ、縦枠部を後方へ大きく傾斜させ、着座者の背により効果的に追従させることができる。したがって、変形許容部の変形が繰り返されモーメントが集中した場合であっても、損傷や破損の虞がない。【００１９】
（６）上記（５）の椅子において、前記張り材は、下部が前記下材に連結され、上部が前記上材に連結されていてもよい。【００２０】
上記した構成によれば、着座者から背凭れに荷重が作用すると、背凭れの張り材が着座者の背に沿って変形するとともに、背凭れを支持する背凭れ後部支持部材のうち変形許容部が弾性変形する。よって、着座者の荷重が背凭れを後方に倒す方向に作用すると、背凭れを倒す動作に追従するようにして背凭れを後方へ傾斜させることができるとともに、後方へ傾斜した状態で着座者の背を包み込むように受け止めることができる。
【発明の効果】
【００２１】
上記した椅子によれば、着座者が背を後方へ倒す動作をとった場合に、当該姿勢に追従させることができる。
【図面の簡単な説明】
【００２２】
【図１】本発明の一実施形態に係る椅子を斜め前方から見た斜視図である。
【図２】本発明の一実施形態に係る椅子の上部を後方から見た斜視図である。
【図３Ａ】本発明の一実施形態に係る椅子の通常時の側面図である。
【図３Ｂ】本発明の一実施形態に係る椅子を着座者が背を後方へ倒した場合の側面図である。
【図４】本発明の一実施形態に係る椅子を正面から見た斜視図である。
【図５】本発明の一実施形態に係る椅子の側面図である。
【図６Ａ】本発明の一実施形態に係る椅子の通常時の図４のＰ−Ｐ断面図である。
【図６Ｂ】本発明の一実施形態に係る椅子を着座者が着座した状態の図４のＰ−Ｐ断面図である。
【図７Ａ】本発明の一実施形態に係る椅子の通常時を上方から見た斜視図である。
【図７Ｂ】本発明の一実施形態に係る椅子において、幅方向一方側から後方へと振り向くような姿勢をとった場合を上方から見た斜視図である。
【図８】本発明の一実施形態の変形例に係る椅子の上部を後方から見た斜視図である。
【発明を実施するための形態】
【００２３】
以下、本発明の一実施形態に係る椅子について、図面を参照して説明する。
図１に示すように、本実施形態に係る椅子１は、脚体１０と、背凭れ支持体２０と、座部３０と、背凭れ後部支持部材４０と、背凭れ５０とを備えている。
脚体１０は、床面Ｆ上に設けられている。背凭れ支持体２０は、脚体１０に支持されている。座部３０は、背凭れ支持体２０に設けられ着座者が着座可能である。背凭れ後部支持部材４０は、背凭れ支持体２０に支持されている。背凭れ５０は、背凭れ後部支持部材４０に支持され着座者の背を支持している。以下、各構成の詳細を説明する。なお、以下の説明においては、着座者が着座、離座する方向を前後方向、着座者が着座する側を前方、反対側を後方とし、また、前後方向に直交する水平面内の方向を幅方向とし、幅方向に椅子から離間側を側方とする。
【００２４】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。
脚柱１３は、下部が複数の脚杆１２の基端に連結されており、上方に向けて立設されている。また、この脚柱１３の上部には、背凭れ支持体２０を後方へ傾斜可能とするリクライニング機構（不図示）が内蔵された支基１４が取り付けられている。
【００２５】
（背凭れ支持体）
背凭れ支持体２０は、支基１４の幅方向両側方に基部が枢着された一対の前向腕部２１と、該前向腕部２１の基部から上方に向かって延出するとともに座部３０を支持する一対の上向腕部２２と、該前向腕部２１の基部から後方に向かって延出する一対の後向腕部２３とを有している。
【００２６】
図２に示すように、この一対の後向腕部２３は、後方に向かうにしたがってしだいに互いに近接するように配され後端にて互いに連結されることで、一体として下向きＶ字状に配されている。一対の後向腕部２３の後端は、後述する背凭れ後部支持部材４０の下部に固定されている。
【００２７】
また、図１に示すように、背凭れ支持体２０には、側方から上方に向かって延出する肘掛け２６が設けられている。
【００２８】
（座部）
図３Ａ及び図３Ｂに示すように、座部３０は、支基１４に対して前後方向にスライド可能に前部が支持されるとともに、背凭れ支持体２０の上向腕部２２に枢着されている。支基１４のリクライニング機構により背凭れ支持体２０が後方へ傾斜するにともない、座部３０は支基１４に対して相対的に後方に移動するとともに後側を下方に向かって傾動するように構成されている。
【００２９】
（背凭れ後部支持部材）
図２に示すように、背凭れ後部支持部材４０は、背凭れ支持体２０に連結された下部連結部４１と、該下部連結部４１から上方へ向かって延びる変形許容部４２と、該変形許容部４２の上端から上方に向かうにしたがってしだいに幅方向外側に広がるように配された上部連結部４３とを有する。
【００３０】
下部連結部４１は、下部後面に背凭れ支持体２０の一対の後向腕部２３の後端が嵌合する凹部（不図示）が形成されており、一対の後向腕部２３は該凹部に嵌合されている。下部連結部４１は、該凹部にて背凭れ支持体２０の上部と例えば、ボルト・ナット（不図示）による螺着によって固定される。さらに下部連結部４１は、下端にて背凭れ５０に連結されている。
【００３１】
図１，図４及び図５に示すように、変形許容部４２は、下端が下部連結部４１に連結され上方に向かって配され、上端が上部連結部４３に連結されている。また、変形許容部４２は、上方に向かうにしたがって幅方向の長さ寸法がしだいに狭くなり、途中から上方に向かうにしたがって幅方向の長さ寸法が再び広くなるように形成されている。
【００３２】
この変形許容部４２は、その前面にリブが形成されておらず、着座者の背から背凭れ５０に作用する荷重にしたがって弾性変形しやすい構成とされている。
変形許容部４２の表面にリブが設けられていても、変形許容部４２の材質や厚み等を調整することにより、着座者の背から背凭れに作用する荷重にしたがって弾性変形可能な構成とすることができる。
【００３３】
上部連結部４３は、下端が変形許容部４２に連結され、上方に向かうにしたがってしだいに幅方向外側に広がるとともに、上方に向かうにしたがってしだいに前方へ傾斜するように形成されている。
【００３４】
この上部連結部４３は、本実施形態では、上方に向かうにしたがってしだいに互いに幅方向外側に離間するように配され、上端が背凭れ５０に連結された一対の連結片４３Ａ、４３Ｂを有し、一対の連結片４３Ａ、４３Ｂによって全体としてＶ字状に形成されている。
【００３５】
上記の下部連結部４１、変形許容部４２及び上部連結部４３を構成する一対の連結片４３Ａ，４３Ｂは、一体成形されており、背凭れ後部支持部材４０は、全体として側面視して後方に凸となるように湾曲して形成されている。
【００３６】
つまり、下部連結部４１は、湾曲しつつ全体として上方に向かうにしたがって後方へと向かうように傾斜している。また、上部連結部４３を構成する一対の連結片４３Ａ、４３Ｂは、湾曲しつつ上方に向かうにしたがって前方へと向かうように傾斜している。変形許容部４２は、湾曲しつつ、上部連結部４３と下部連結部４１とを連結している。
【００３７】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられた一対の縦枠部５３Ａ，５３Ｂ（５３）とを有する。
【００３８】
張り材５１は、着座者の背を受け、背の姿勢に応じて変形可能な可撓性を有する部材で構成されている。具体的には、本実施形態ではメッシュ状の素材で形成されており、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
【００３９】
上枠部５２は、幅方向に沿って延び、その両端が上部連結部４３における一対の連結片４３Ａ，４３Ｂの上端にそれぞれ連結されるとともに、一対の縦枠部５３Ａ，５３Ｂの上端にそれぞれ連結されている。
【００４０】
一方の縦枠部５３Ａは、下材５７Ａと、該下材５７Ａの上端に連結されて張り材５１から作用する力で弾性変形可能な上材５６Ａとを有している。同様に、他方の縦枠部５３Ｂも、下材５７Ｂと、該下材５７Ｂの上端に連結されて張り材５１から作用する力で弾性変形可能な上材５６Ｂとを有している。
【００４１】
図２及び図５に示すように、下材５７Ａ、５７Ｂは、下端が背凭れ後部支持部材４０の下部連結部４１に連結され、上方に向かうにしたがってしだいに前方向かい且つ幅方向外側に拡がるように形成されている。また、下材５７Ａ、５７Ｂのそれぞれは、上方に向かうにしたがって、断面寸法が小さくなるように形成されている。
【００４２】
上材５６Ａ，５６Ｂは、着座者の背から作用する荷重に応じて弾性的に捩れ変形可能、且つ弾性的に撓み変形可能に構成されている。
【００４３】
この上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうにしたがって下材５７Ａ、５７Ｂよりも相対的に後方へ傾斜するように形成されている。
【００４４】
上材５６Ａ、５６Ｂは、本実施形態では、下材５７Ａ、５７Ｂの上端から上方に向かうにしたがってしだいに後方に傾斜するように形成されている。
【００４５】
このように縦枠部５３Ａ，５３Ｂは、下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成されており、縦枠部５３Ａ，５３Ｂは、全体として前方に向かって凸となるように湾曲して形成されている。
【００４６】
図２に示すように、上記の背凭れ後部支持部材４０と縦枠部５３とは、側面視して環状に一体成形されている。本実施形態では、背凭れ後部支持部材４０の下部連結部４１、変形許容部４２、一方の連結片４３Ａ、一方の縦枠部５３Ａの上材５６Ａ及び下材５７Ａにより、側面視して環状の第一の環状部６１を構成している。
【００４７】
また、背凭れ後部支持部材４０の下部連結部４１、変形許容部４２、他方の連結片４３Ｂ、他方の縦枠部５３Ｂの上材５６Ｂ及び下材５７Ｂにより、側面視して環状の第二の環状部６２を構成している。
【００４８】
これら第一の環状部６１及び第二の環状部６２は、下部連結部４１及び変形許容部４２で連結されるとともに、全体として一体成形されている。また、上枠部５２も、第一の環状部６１及び第二の環状部６２のそれぞれの上端を連結されるように一体成形されている。
【００４９】
すなわち、本実施形態では、背凭れ後部支持部材４０の各部と、背凭れ５０の上枠部５２及び一対の縦枠部５３Ａ，５３Ｂとが一体成形されている。
【００５０】
また、背凭れ後部支持部材４０と、背凭れ５０とで、背凭れ体５０Ａが構成されている。つまり、背凭れ体５０Ａが、背凭れ支持体２０に支持され、着座者の背を支持している。
【００５１】
次に、上記のように構成された椅子１の座部３０に着座者が着座した場合における椅子１の背凭れ後部支持部材４０及び背凭れ５０の動作について説明する。
【００５２】
図４の実線及び図６Ａは着座者が座部３０に着座して背凭れ５０に凭れかかっていない状態の椅子１を示し、図４の二点鎖線及び図６Ｂは着座者が背凭れ５０に凭れかかった状態の椅子１を示す。
【００５３】
着座者が座部３０に着座すると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００５４】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００５５】
この縦枠部５３Ａ，５３Ｂが弾性変形するにともない、張り材５１は幅方向略中央部が後方に向かって突出する円弧状に一層変形することが可能となるとともに、背凭れ５０は背凭れ後部支持部材４０に支持されている。
【００５６】
さらに、着座者が、背凭れ５０に大きく凭れかかった場合には、図５の二点鎖線に示すように、縦枠部５３Ａ，５３Ｂに連結された背凭れ後部支持部材４０のうち変形許容部４２は、着座者の背から背凭れ５０に作用する荷重にしたがって弾性変形可能である。よって、変形許容部４２は、その下端を中心として、上方に向かうにしたがってしだいに後方に傾斜するように変形する。変形許容部４２の変形にともない、該変形許容部４２の上方に配された上部連結部４３は後方に移動し、該上部連結部４３に連結された背凭れ５０はさらに後方に傾斜することが可能となる。
【００５７】
また、着座者が、図７Ａに示す状態から、背凭れ５０の幅方向一方側から後方へと振り向くような姿勢をとった場合には、図７Ｂに示すように、着座者からの荷重が、背凭れ５０の幅方向一方側に偏って作用し、偏った側の縦枠部５３Ｂに対して縦枠部５３Ｂを捩れ変形させる荷重が作用する。
【００５８】
ここで、縦枠部５３Ｂにおける上材５６Ｂが、背凭れ５０から作用する力で捩れ変形可能に構成されている。また、連結片４３Ａ，４３Ｂが下方に向かうにしたがって離間する幅を狭めるように形成され互いに接合されて変形許容部４２に連結されているため、変形許容部４２は上材５６Ｂの捩れ変形を促す構成とされている。よって、上材５６Ｂが着座者の荷重にしたがって着座者の背に追従するように後側方に向かって捩れて変形する。
【００５９】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００６０】
このように、上材５６Ｂ、連結片４３Ｂ及び張り材５１は、着座者の背や肩の変形に追従してこれら背や肩を包み込むようにして変形する。
なお、着座者が背凭れ５０の幅方向他方側から方向へと振り向くような姿勢をとった場合も、同様に動作する。
【００６１】
このように構成された椅子１では、着座者から背凭れ５０に後方へ向かって荷重が作用すると、着座者の荷重が背凭れ５０の上枠部５２を支持する背凭れ後部支持部材４０の上部連結部４３に伝達される。この際、背凭れ後部支持部材４０のうち、背凭れ支持体２０に連結された下部連結部４１と背凭れ５０に連結された上部連結部４３との間に設けられた変形許容部４２が、上方に向かうにしたがってしだいに後方に傾斜するように弾性変形する。この変形許容部４２の変形とともに、背凭れ後部支持部材４０に支持された背凭れ５０はその姿勢を大きく後方に傾斜させることができる。
【００６２】
また、後方に向かって傾斜する変形許容部４２よりも上方に、上部連結部４３が設けられている。よって、変形許容部４２が後方に向かって傾斜するにともなって、上部連結部４３は上端を背凭れ５０に連結された状態を維持しながら、後方へと移動することができる。よって、着座者の荷重が背凭れを後方に倒す方向に作用すると、背凭れ５０を倒す動作に追従するようにして背凭れ５０を後方へ傾斜させることができる。
【００６３】
また、通常の状態において、上部連結部４３が上方に向かうにしたがってしだいに前方へ傾斜するように形成されているため、前後方向へは上部連結部４３自体の変形を抑制して着座者の荷重を支持することができるとともに、上部連結部４３に連結された背凭れ５０も着座者の荷重を確実に支持することができる。
一方、着座者が背を後方へ倒すために、通常の状態よりも大きな荷重が後向きに背凭れに作用させると、当該荷重により変形許容部４２が変形することで、背凭れ後部支持部材４０の下部連結部４１及び上部連結部４３と連結された背凭れ５０を、着座者の荷重に応じて後方へ傾斜させ、着座者の背を後方へと傾斜させる動作に追従させることができる。
【００６４】
一方で、上部連結部４３の一対の連結片４３Ａ，４３Ｂは上端が背凭れ５０に連結されることで、着座者から背凭れ５０に幅方向一方側又は他方側に作用する荷重を確実に支持することができる。
【００６５】
また、下材５７Ａ，５７Ｂは上方に向かうにしたがって前方へと傾斜しているため、該下材５７Ａ，５７Ｂ自体の変形を抑制して着座者の荷重を確実に支持することができる。
一方、上材５６Ａ，５６Ｂは、下材５７Ａ、５７Ｂの上端から上方に向かうにしたがってしだいに後方に傾斜するように形成されているため、着座者の荷重に応じて後方へと傾斜させて、着座者の背を後方へ傾斜させる動作に追従させることができる。
【００６６】
ここで、上部及び下部で背凭れ後部支持部材４０の下部連結部４１及び上部連結部４３に連結された背凭れ５０は、下材５７Ａ，５７Ｂの変形が抑制されて、上材５６Ａ，５６Ｂの上下方向の範囲内で傾斜することになる。よって、背凭れ後部支持部材４０が後方へと傾斜すると、上材５６Ａ，５６Ｂは背凭れ後部支持部材４０よりも大きな傾斜角度で傾斜することとなる。
このため、背凭れ後部支持部材４０の変形許容部４２の変形量を最小限に抑えつつ、背凭れ５０を後方へ大きく傾斜させ、着座者の背に対してより効果的に追従させることができる。したがって、変形許容部４２の変形が繰り返されモーメントが集中した場合であっても、損傷や破損の虞がない。
【００６７】
また、着座者から後方に向かって作用する力に対しては、着座者の背が背凭れ５０の張り材５１で受け止められると、着座者の荷重が張り材５１から上枠部５２と一対の縦枠部５３Ａ，５３Ｂに伝えられる。上枠部５２は、背凭れ後部支持部材４０の一対の連結片４３Ａ，４３Ｂに連結支持され、該背凭れ後部支持部材４０は背凭れ支持体２０に支持されている。よって、上枠部５２、背凭れ後部支持部材４０及び背凭れ支持体２０により着座者からの荷重を確実に支持することができる。
【００６８】
一方、上枠部５２の幅方向両端部に連結された一対の縦枠部５３Ａ，５３Ｂの上材５６Ａ，５６Ｂは、張り材５１から作用する力により弾性的に撓み変形するため、着座者の荷重にしたがって着座者の背に追従するように変形して背を張り材５１とともに包み込むように受け止めることができる。このため、着座者は、安定した状態で着座することができる。
【００６９】
さらに、着座者が幅方向一方側から後方へと振り向くような姿勢をとった場合には、着座者からの荷重は、背凭れ５０の幅方向一方側に偏って作用し、偏った側の縦枠部５３Ａ，５３Ｂに対して縦枠部５３Ａ，５３Ｂを捩れ変形させる荷重が作用する。縦枠部５３Ａ，５３Ｂの上材５６Ａ，５６Ｂは、張り材５１から作用する力により捩れ変形するため、着座者の荷重にしたがって着座者の背や肩の変形に追従にするように変形して背を張り材とともに包み込むように受け止めて、背凭れ５０を後方へと傾斜させることができる。
【００７０】
また、着座者からの荷重が背凭れ５０の張り材５１から一対の縦枠部５３Ａ，５３Ｂに伝えられると、縦枠部５３Ａ，５３Ｂの上材５６Ａ，５６Ｂは捩れ変形する。上材５６Ａ，５６Ｂと連結された一対の連結片４３Ａ，４３Ｂは、上材５６Ａ，５６Ｂの捩れ変形にともなって変位する。よって、幅方向一方側から後方へと振り向くような姿勢をとった場合には、一方側の上材５６Ａ，５６Ｂが捩れ変形するとともに一方側の連結片４３Ａ，４３Ｂが変位して、背を張り材とともに包み込むように受け止めることができるため、着座者の背や肩に変形に追従した状態で安定的に支持することができる。
【００７１】
このように、縦枠部５３Ａ，５３Ｂの上材５６Ａ，５６Ｂ、張り材５１及び連結片４３Ａ，４３Ｂが、着座者の背や肩の変形に追従して、後方へと傾斜しながらこれら背や肩を安定的に支持することができる。
【００７２】
一方、縦枠部５３Ａ，５３Ｂの下材５７Ａ，５７Ｂは張り材５１とともに着座者の背より下方の腰回り等を確実に支持する。よって、幅方向一方側から後方へと振り向くような姿勢をとった場合には、下材５７Ａ，５７Ｂが張り材５１とともに着座者の腰回りを支持することができる。
【００７３】
（変形例）
次に、図８を用いて、上記に示す実施形態の変形例に係る椅子１０１について説明する。
椅子１では、背凭れ支持体２０の一対の後向腕部２３，２３が背凭れ後部支持部材４０の下部に連結されている。一方、変形例に係る椅子１０１では、背凭れ支持体１２０の一対の後向腕部１２３，１２３が一対の縦枠部５３Ａ，５３Ｂの下材５７Ａ，５７Ｂに連結されている。つまり、縦枠部５３Ａ，５３Ｂは、背凭れ支持体１２０に支持されている。
詳細には、後向腕部１２３，１２３の上部は、下材５７Ａ，５７Ｂと同様に、上方に向かうにしたがってしだいに前方に向かうように形成されている。これら後向腕部１２３，１２３の上部と、下材５７Ａ，５７Ｂとが連結されている。
また、背凭れ後部支持部材１４０の下部連結部１４１の表面には、一対の後向腕部２３，２３が取り付けられるための凹部が形成されていない。
【００７４】
このように構成された椅子１０１では、着座者から張り材５１に後方へ向かって作用する荷重は、張り材５１に取り付けられ幅方向に離間した一対の縦枠部５３Ａ，５３Ｂに伝達される。縦枠部５３Ａ，５３Ｂは張り材５１から作用する力で弾性変形して後方へと傾斜するように変形するとともに、縦枠部５３Ａ，５３Ｂ間に取り付けられた張り材５１は幅方向全体にわたって後方へと移動する。また、背凭れ後部支持部材１４０は縦枠部５３Ａ，５３Ｂを上下方向に連結しているため、縦枠部５３Ａ，５３Ｂの後方への傾斜にともない背凭れ後部支持部材１４０もその姿勢を後方に傾斜させる。よって、着座者の荷重が背凭れ５０を後方に倒す方向に作用すると、背凭れ体５０Ａを倒す動作に追従するようにして背凭れ５０全体を後方へ傾斜させることができる。
【００７５】
また、着座者が椅子１０１の座部３０に着座した場合には、上記に示す実施形態と同様に、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００７６】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００７７】
この縦枠部５３Ａ，５３Ｂが弾性変形するにともない、張り材５１は幅方向略中央部が後方に向かって突出する円弧状に一層変形することが可能となるとともに、背凭れ５０は背凭れ後部支持部材１４０に支持されている。
【００７８】
また、着座者が、背凭れ５０の幅方向一方側から後方へと振り向くような姿勢をとった場合には、上記に示す実施形態と同様に、着座者からの荷重は、背凭れ５０の幅方向一方側に偏って作用し、偏った側の縦枠部５３Ａ，５３Ｂに対して縦枠部５３Ａ，５３Ｂを捩れ変形させる荷重が作用する。縦枠部５３Ａ，５３Ｂの上材５６Ａ，５６Ｂは、張り材５１から作用する力により捩れ変形するため、着座者の荷重にしたがって着座者の背や肩の変形に追従にするように変形して背を張り材とともに包み込むように受け止めて、背凭れ５０を後方へと傾斜させることができる。
【００７９】
また、縦枠部５３Ａ，５３Ｂの上材５６Ａ，５６Ｂと連結された一対の連結片４３Ａ，４３Ｂは、上材５６Ａ，５６Ｂの捩れ変形にともなって変位する。よって、幅方向一方側から後方へと振り向くような姿勢をとった場合には、一方側の上材５６Ａ，５６Ｂが捩れ変形するとともに一方側の連結片４３Ａ，４３Ｂが変位して、背を張り材とともに包み込むように受け止めることができるため、着座者の背や肩に変形に追従した状態で安定的に支持することができる。
【００８０】
このように、縦枠部５３Ａ，５３Ｂの上材５６Ａ，５６Ｂ、張り材５１及び連結片４３Ａ，４３Ｂが、着座者の背や肩の変形に追従して、後方へと傾斜しながらこれら背や肩を安定的に支持することができる。
【００８１】
一方、縦枠部５３Ａ，５３Ｂの下材５７Ａ，５７Ｂは張り材５１とともに着座者の背より下方の腰回り等を確実に支持する。よって、幅方向一方側から後方へと振り向くような姿勢をとった場合には、下材５７Ａ，５７Ｂが張り材５１とともに着座者の腰回りを支持することができる。
【００８２】
また、下材５７Ａ，５７Ｂ及び下材５７Ａ，５７Ｂと連結された後向腕部１２３，１２３の上部は、上方に向かうにしたがって前方へと傾斜している。よって、椅子１０１は、下材５７Ａ，５７Ｂ及び後向腕部１２３，１２３自体の変形を抑制して着座者の荷重を確実に支持する。また、下材５７Ａ，５７Ｂと後向腕部１２３，１２３とは部材自体の変形が抑制されるため、互いに強固に連結された状態を維持することができる。
【００８３】
また、上述した実施の形態において示した動作手順、あるいは各構成部材の諸形状や組み合わせ等は一例であって、本発明の主旨から逸脱しない範囲において設計要求等に基づき種々変更可能である。
【００８４】
例えば、上記に示した実施形態においては、背凭れ後部支持部材４０と背凭れ５０とが一体成形されているが、背凭れ後部支持部材４０と背凭れ５０とを別部材とすることも可能である。
【産業上の利用可能性】
【００８５】
上記した椅子によれば、着座者が背を後方へ倒す動作をとった場合に、当該姿勢に追従させることができる。
【符号の説明】
【００８６】
１，１０１…椅子
１０…脚体
２０，１２０…背凭れ支持体
４０，１４０…背凭れ後部支持部材
４１，１４１…下部連結部
４２…変形許容部
４３…上部連結部
４３Ａ，４３Ｂ…一対の連結片
５０…背凭れ
５０Ａ…背凭れ体
５１…張り材
５２…上枠部
５３Ａ，５３Ｂ（５３）…縦枠部
５６Ａ，５６Ｂ（５６）…上材
５７Ａ，５７Ｂ（５７）…下材
６１…第一の環状部
６２…第二の環状部
【図１】
2014061732.tif 000003
【図２】
2014061732.tif 000004
【図３Ａ】
2014061732.tif 000005
【図３Ｂ】
2014061732.tif 000006
【図４】
2014061732.tif 000007
【図５】
2014061732.tif 000008
【図６Ａ】
2014061732.tif 000009
【図６Ｂ】
2014061732.tif 000010
【図７Ａ】
2014061732.tif 000011
【図７Ｂ】
2014061732.tif 000012
【図８】
2014061732.tif 000013
【国際調査報告】
2014061732.tif 000014
2014061732.tif 000015
2014061732.tif 000016
2014061732.tif 000017